(57)【特許請求の範囲】
【請求項１】
複数の設備機器と、
この設備機器毎に設けられ、設備機器を識別する識別手段と、
前記設備機器毎に設定された識別情報によって個々の前記設備機器を管理する設備管理手段と、
前記識別手段による前記各設備機器毎の個別の識別情報を認識し、前記設備管理手段による管理用の識別情報を前記設備機器に設定する設定器とを備え、
前記設定器には所定帯域の周波数の電波を送信する機能を有し、
前記識別手段には前記設定器から送信された電波を受信し、前記各設備機器毎に特有の周波数を反射するシールを用い、前記設定器が前記識別手段からの反射周波数に応じて前記設備管理手段による管理用の識別情報を前記設備機器に設定することを特徴とする設備管理システム。
【請求項２】
前記識別手段のシールには、前記各設備機器毎の個別の識別情報を可読文字で記載することを特徴とする請求項１記載の設備管理システム。
【発明の詳細な説明】
【０００１】
【発明の属する技術分野】
この発明は、ビル内の空調や照明などの設備機器の制御や状態監視等の管理を行なうビル管理あるいはビルメンテナンスシステム等の設備管理システムに関し、特に管理者・居住者による空調・照明等の設備機器に対する遠隔からの管理に関するものである。
【０００２】
【従来の技術】
ビル内の空調や照明等の設備機器の制御・監視を行なうビル管理システムあるいはビルメンテナンスシステムにおいて、各設備機器の制御・監視はネットワークを介して中央監視室で集中的に行なわれる。このため、各設備機器が識別できるように、機器識別情報設定が行われる。
【０００３】
すなわち、個々の設備機器には、識別する識別手段としてディップスイッチ等の小型スイッチ群をあらかじめ組み込んでおき、設備機器を設営する工事業者が設備機器を所定位置に据え付ける時に、各設備機器の小型スイッチ群のＯＮ／ＯＦＦを組み合わせることにより、各設備機器個別の識別番号を設定する。この識別番号は工事の図面に記載して照合し、集中管理側（中央監視室）で集計する。集中管理側ではこの識別番号に基づいて任意の設備機器の操作や監視を行なう。
【０００４】
上述のように、各設備機器に識別番号を設定し、この識別番号に基づいて各種操作・監視が行われるが、工事においては、識別番号の設定ミスや工事図面への識別番号の記載ミス等の誤りが少なからず発生してしまう。そこで、誤りが発生した場合には、この誤りに対応する設備機器を特定するために、現場にて各設備機器を一つずつ確認し直すことになる。このため、設備機器の数が多い場合には、困難な作業になってしまう。そこで、従来から識別番号の設定時には、慣例的に識別番号を記載した簡易なシールを設備機器に貼りつけて誤りチェックに用いている。
【０００５】
【発明が解決しようとする課題】
上記のような従来の設備管理システムでは、識別番号の設定時に識別番号を記載した簡易なシールを誤りチェックに用いているが、それでも識別番号とシールの記載が食い違ったり、図面への記載が誤ったりすることがあり、抜本的な解決に至っていないという問題点があった。
【０００６】
この発明は、上述のような課題を解決するためになされたもので、設備機器の設置に際して識別番号のシールや図面への記載が正確に行え、各設備機器の集中管理側においても正確に各設備機器を識別でき、さらに、識別番号をチェックするために慣例的に行われているシールそのものを識別手段と等価に扱えることができる設備管理システムを得るものである。
【０００７】
【課題を解決するための手段】
この発明に係る設備管理システムは、複数の設備機器と、この設備機器毎に設けられ、設備機器を識別する識別手段と、前記設備機器毎に設定された識別情報によって個々の前記設備機器を管理する設備管理手段と、前記識別手段による前記各設備機器毎の個別の識別情報を認識し、前記設備管理手段による管理用の識別情報を前記設備機器に設定する設定器とを備え、前記設定器には所定帯域の周波数の電波を送信する機能を有し、前記識別手段には前記設定器から送信された電波を受信し、前記各設備機器毎に特有の周波数を反射するシールを用い、前記設定器が前記識別手段からの反射周波数に応じて前記設備管理手段による管理用の識別情報を前記設備機器に設定したものである。
【０００９】
さらに、前記識別手段のシールには、前記各設備機器毎の個別の識別情報を可読文字で記載するものである。
【００１０】
【発明の実施の形態】
実施の形態１．
図１はこの発明の実施の形態１である設備管理システムの構成図、図２はこの設備管理システムの照明の内部構成図である。図において、１、２はそれぞれ設備機器を示す照明Ａ、照明Ｂであり、それぞれ識別手段Ａ３、識別手段Ｂ４としての特定の周波数に応答する金属粉からなるシールが貼り付けられている。５は識別手段Ａ３、識別手段Ｂ４と各種信号・情報等をやり取りする設定器であり、設備機器をチェックするために慣例的に行われているシールは簡易である必要があるが、設備管理手段１２（後述）が扱える情報は一般に電気通信情報であるため、両者を変換する機能を備えている。
【００１１】
６は識別探針、７は応答である。８は照明器具、９は通信手段、１０は受信手段であり、照明Ａ１および照明Ｂ２は照明器具８、通信手段９、受信手段１０を備え、通信手段９は通信設備１１を経由して、中央管理室等に設けられる設備管理手段１２と接続される。１３は識別情報設定要求である。
【００１２】
次に動作について説明する。
まず、設定器５は照明Ａ１に貼り付けられた識別手段Ａ３へ識別探針６となる電波を送信する。識別手段Ａ３は識別探針６の受信により特定の周波数に共鳴し、応答７としてその周波数の電波を反射する。設定器５は反射した周波数を検出することにより、照明Ａ１を把握する。
【００１３】
ここで、識別手段Ａ３には、送信されてきた所定帯域の周波数（例えば、２００ＭＨｚから４００ＭＨｚ）からなる電波のうち、特定の周波数（例えば、２００ＭＨｚと３００ＭＨｚ）の電波を反射する金属粉末を印刷したシールが用いられる。例えば、特定の周波数を例えばあらかじめ２種類用意しておくことにより、第１の周波数のみを反射する場合、第２の周波数のみを反射する場合、第１および第２の周波数を反射する場合の３通り組み合わせができ、これにより３種類の照明（機器）を番号として識別できる。なお、一般にこのような方法を演繹すると、周波数の種類ｎに対して２ｎの組み合わせの機器番号を識別できる。一例としてｎを１０とすると１０２４台の番号を識別することができる。
【００１４】
なお、識別手段Ａ３のシールを容易に発生させるために、例えばワープロやプリンタ等の印刷機に用いられるインクに金属粉末を添加し、その印刷機により可読文字による識別番号および金属粉をシールに印刷する。この金属粉は例えば渦巻きの形状となる。
【００１５】
次に、設定器５は、上記応答７に対応する設備管理手段１２用の識別情報を、自動的にあらかじめ決められた割り当てに従って算出し、識別情報設定要求１３として照明Ａ１の受信手段１０へ向けて例えば電波あるいは赤外線通信により発信する。受信手段１０はこの識別情報設定要求１３を受信し、通信手段９に設定情報を設定する。なお、設備管理手段１２用の識別情報の算出を手動で行なってもよい。
よって、照明Ａ１では識別手段Ａ３に応した識別情報が設定され、設備管理手段１２がこの識別情報により照明Ａ１を識別し、操作・監視する。
【００１６】
以上により、シール等の識別手段Ａ４の記載内容と照明Ａ１および設備管理手段１２の設定内容に相違が無くなり、さらに識別手段Ａ４自体に可読文字による識別番号を記載することにより、図面上の記載の食い違いも容易に発見できる。
なお、照明Ａ１について説明したが、照明Ｂ２についても同様に行われる。
また、金属粉読み取り機があれば、可読文字の表示を印刷しなくてもよい。
【００１７】
本実施の形態では照明を２台用いたものを示したが、識別手段３による反射する特定の周波数を増やすことにより、３台以上でも同様に行われる。
また、本実施の形態では、照明に用いたものを示したが、空調他の各種設備機器の制御・監視に用いてもよいことはいうまでもない。
【００１８】
【発明の効果】
この発明は、以上説明したように構成され、以下に示すような効果を奏する。
【００１９】
複数の設備機器と、この設備機器毎に設けられ、設備機器を識別する識別手段と、前記設備機器毎に設定された識別情報によって個々の前記設備機器を管理する設備管理手段と、前記識別手段による前記各設備機器毎の個別の識別情報を認識し、前記設備管理手段による管理用の識別情報を前記設備機器に設定する設定器とを備えたので、設備機器の設置に際して、設備管理手段における各設備機器を正確に識別でき、設備機器の設置工事における確認作業および誤り訂正作業の効率が向上する。
【００２０】
また、前記設定器には所定帯域の周波数の電波を送信する機能を備え、前記識別手段には前記設定器から送信された電波を受信し、前記各設備機器毎に特有の周波数を反射するシールを用い、前記設定器が前記識別手段からの反射周波数に応じて前記設備管理手段による管理用の識別情報を前記設備機器に設定するので、設備機器の設置に際して識別番号のシールへの記載が正確に行え、識別番号をチェックするために慣例的に行われているシールそのものを識別手段と等価に扱えうことができ、設備機器の設置工事における確認作業および誤り訂正作業の効率が向上する。
【００２１】
さらに、前記識別手段のシールには、前記各設備機器毎の個別の識別情報を可読文字で記載するので、設備機器の設置に際して図面への識別番号の記載が正確に行え、識別情報と図面との食い違いが生じた場合に発見が容易に行うことができ、設備機器の設置工事における確認作業および誤り訂正作業の効率が向上する。
【図面の簡単な説明】
【図１】この発明の実施の形態１を示す設備管理システムの構成図である。
【図２】この発明の実施の形態１を示す設備管理システムの照明の内部構成図である。
【符号の説明】
１  照明Ａ、２  照明Ｂ、  ３  識別手段Ａ、４  識別手段Ｂ、  ５  設定器、６  識別探針、  ７  応答、  ８  照明器具、  ９  通信手段、  １０  受信手段、１１  通信設備、  １２  設備管理手段。
【図１】
0003632552.tif 000002
【図２】
0003632552.tif 000003